(57)【要約】      （修正有）【課題】運搬する動物の数等に応じて動物を収容するバッグの数を変更しながら、動物を効率よく運搬できる、使い勝手がよい動物搬送用バッグ装置を提供する。【解決手段】内部に動物を収容する収容部を有し、底部にキャスタ２２を取り付けるとともに本体１８にキャリーハンドル２４を取り付けた基礎部バッグ１２と、基礎部バッグ１２の上段側に順次積み重ねた状態で必要に応じて配置される１つ又は複数の上層部バッグ１４と、を含み、少なくとも上下の各バッグ１２、１４どうしを着脱連結する連結装置１６を備えた動物搬送用バッグ装置１０から構成される。【選択図】図１
0003202748.tif 000002
【実用新案登録請求の範囲】
【請求項１】
内部に動物を収容する収容部を有し、底部にキャスタを取り付けるとともに本体にキャリーハンドルを取り付けた基礎部バッグと、
基礎部バッグの上段側に順次積み重ねた状態で必要に応じて配置される１つ又は複数の上層部バッグと、を含み、
少なくとも上下の各バッグどうしを着脱連結する連結装置を備えたことを特徴とする動物搬送用バッグ装置。
【請求項２】
上層部バッグには持ち手部が取り付けられており、持ち手部を介してそれぞれの上層部バッグ単独で動物搬送させ得るように、それぞれの上層部バッグが下部のバッグに着脱自在に連結されていることを特徴とする請求項１記載の動物搬送用バッグ装置。
【請求項３】
連結装置は、バッグどうしの連結時に少なくともバッグの天面部と底面部とが離脱しないように拘束する個別連結機構からなる請求項１又は２記載の動物搬送用バッグ装置。
【請求項４】
個別連結機構は、それぞれのバッグの周面部どうし又は天面部と底面部に支持基礎を設定して上下の各バッグどうしの連結を確保する対結合装置を含むことを特徴とする請求項３記載の動物搬送用バッグ装置。
【請求項５】
上層部バッグの持ち手部を把持した状態で基礎部バッグを含む全体を移動可能である請求項２ないし４のいずれかに記載の動物搬送用バッグ装置。
【請求項６】
対結合装置は、上下に積み重ねた状態で下段側のバッグの外周面部に取り付けられた第１連結具と、
上下に積み重ねた状態で上段側のバッグの外周面部に取り付けられ、該第１連結具と着脱自在に連結される第２連結具と、を含むことを特徴とする請求項４又は５記載の動物搬送用バッグ装置。
【請求項７】
上層部バッグの外周面部には、基礎部バッグのキャリーハンドルを該キャリーハンドルの長手方向に貫通させて係合する係合部が設けられたことを特徴とする請求項１ないし６のいずれかに記載の動物搬送用バッグ装置。
【考案の詳細な説明】
【技術分野】
【０００１】
本考案は、犬や猫等のペット動物を効率よく搬送できる動物搬送用バッグ装置に関する。
【背景技術】
【０００２】
古くから犬や猫等の愛玩動物は、多くの家庭で飼育されており、一家庭で１匹を飼育する場合もあれば、複数を同時に飼育している場合もある。愛玩動物は家族同様に扱われることも多く、外出や旅行、レジャー等の際にも一緒に同行させる場合も多い。この際、例えば、自家用車又は、バスや列車、飛行機等の公共交通機関等を利用する際には、比較的小型の犬や猫等はペット専用のキャリーバッグに入れて搬送される。従来の動物搬送用のキャリーバッグは、バッグに持ち手が設けられ人手で持ち上げた状態で運搬するタイプや、バッグの底に車輪が取り付けられるとともに長い柄がついたキャリーハンドルを介して地面を走行させながら運搬できるタイプ等が知られている（例えば、特許文献１参照）。
【先行技術文献】
【特許文献】
【０００３】
【特許文献１】実用新案登録第３１４００６３号公報
【考案の概要】
【考案が解決しようとする課題】
【０００４】
従来の車輪付きタイプのペット用キャリーバッグでは、特許文献１にも示すように、ペット動物を収容できるバッグが１つ設けられた構造であることから、同時に運搬できる動物の数が１匹に限定されるものであった。よって、複数のペットを飼育している場合には、搬送効率が悪く、複数の動物を効率よく運搬できる技術の開発が望まれていた。また、ペットを収容した１つのバッグの上にペットを収容した他のバッグを段積みした状態で運搬することが考えられるが、上段側のバッグがすぐに滑落して運搬が困難となるおそれがある。
【０００５】
本考案は、上記従来の課題に鑑みてなされたものであり、その一つの目的は、運搬する動物の数等に応じて動物を収容するバッグの数を変更しながら、動物を効率よく運搬できる使い勝手がよい動物搬送用バッグ装置を提供することにある。
【課題を解決するための手段】
【０００６】
上記課題を解決するために本考案は、内部に動物を収容する収容部２０を有し、底部にキャスタ２２を取り付けるとともに本体（１８）にキャリーハンドル２４を取り付けた基礎部バッグ１２と、基礎部バッグ１２の上段側に順次積み重ねた状態で必要に応じて配置される１つ又は複数の上層部バッグ１４、１４１、１４２と、を含み、少なくとも上下の各バッグ（１２、１４、１４１、１４２）どうしを着脱連結する連結装置１６を備えた動物搬送用バッグ装置１０、１０−２から構成される。
【０００７】
また、上層部バッグ１４、１４１、１４２には持ち手部３０が取り付けられており、持ち手部３０を介してそれぞれの上層部バッグ１４、１４１、１４２単独で動物搬送させ得るように、それぞれの上層部バッグ１４、１４１、１４２が下部のバッグに着脱自在に連結されていることとしてもよい。
【０００８】
また、連結装置１６は、バッグどうしの連結時に少なくともバッグの天面部１８ｆと底面部１８ａとが離脱しないように拘束する個別連結機構５４からなることとしてもよい。
【０００９】
また、個別連結機構５４は、それぞれのバッグの周面部（１８ｂ〜１８ｅ）どうし又は天面部１８ｆと底面部１８ａに支持基礎５６を設定して上下の各バッグどうしの連結を確保する対結合装置５８を含むこととしてもよい。
【００１０】
また、上層部バッグ１４、１４２の持ち手部３０を把持した状態で基礎部バッグ１２を含む全体を移動可能であることとしてもよい。
【００１１】
また、対結合装置５８は、上下に積み重ねた状態で下段側のバッグ１２、１４１の外周面部に取り付けられた第１連結具６０と、上下に積み重ねた状態で上段側のバッグ１４、１４１、１４２の外周面部に取り付けられ、該第１連結具６０と着脱自在に連結される第２連結具６２と、を含むこととしてもよい。
【００１２】
また、上層部バッグ１４、１４１、１４２の外周面部には、基礎部バッグ１２のキャリーハンドルを該キャリーハンドル２４の長手方向に貫通させて係合する係合部（３４）が設けられたこととしてもよい。
【考案の効果】
【００１３】
本考案の動物搬送用バッグ装置によれば、内部に動物を収容する収容部を有し、底部にキャスタを取り付けるとともに本体にキャリーハンドルを取り付けた基礎部バッグと、基礎部バッグの上段側に順次積み重ねた状態で必要に応じて配置される１つ又は複数の上層部バッグと、を含み、少なくとも上下の各バッグどうしを着脱連結する連結装置を備えたことから、連結装置で複数のバッグを着脱できるので、必要に応じて連結装置を介して基礎部バッグと上層部バッグを連結して一体的に連結して複数の動物を同時に搬送したり、又は連結装置を分離して基礎部バッグ単独又は上層部バッグ単独で個別に動物を搬送したりして使用態様を変更することができ、使い勝手がよく、状況に応じて効率よく動物を搬送することができる。また、上下の各バッグどうしを連結装置で連結するので最上段のバッグを把持して装置全体を横移動させて運搬することが可能であり、装置全体を斜めにさせてキャリーハンドルを牽引する際にバッグ内の動物が一斉に鳴き声を高めて周囲の人に迷惑をかけたりすることがなく、平穏に安定して動物搬送を行える。また、各バッグどうしを着脱連結する連結装置を備えているので、バッグ全体をベルトやロープで緊締して一体化するのではない結果、個々のバッグを圧縮させ内部の動物に恐怖感等を与えることなく安定して動物を搬送することができる。
【００１４】
また、上層部バッグには持ち手部が取り付けられており、持ち手部を介してそれぞれの上層部バッグ単独で動物搬送させ得るように、それぞれの上層部バッグが下部のバッグに着脱自在に連結されている構成とすることにより、最上位のバッグの持ち手部を把持して簡単に装置全体を横移動させて平穏、安定な動物搬送を行える上に、最上位の持ち手部を把持して装置全体を抱えて支持することも可能となり、小さな溝や段差部を通過する際などにバッグの傾きや変位をバッグ内の動物に感じさせることなく、円滑に動物搬送を行うことができる。さらに、上層部バッグを分離した状態で個別に搬送する際に、持ち運びしやすいとともに、上層部バッグを基礎部バッグの上に載せたり取り外したりする際に操作しやすい。
【００１５】
また、連結装置は、バッグどうしの連結時に少なくともバッグの天面部と底面部とが離脱しないように拘束する個別連結機構からなる構成とすることにより、上下のバッグ間の連結を安定的に実現させ、個々のバッグを圧縮させることなく連結装置の実効を図れる。
【００１６】
また、個別連結機構は、それぞれのバッグの周面部どうし又は天面部と底面部に支持基礎を設定して上下の各バッグどうしの連結を確保する対結合装置を含む構成とすることにより、個別連結機構を具体的に実現し、基礎部バッグ及び上層部バッグのバッグどうしの連結、分離を簡単な操作で実現できる。
【００１７】
また、上層部バッグの持ち手部を把持した状態で基礎部バッグを含む全体を移動可能である構成とすることにより、上層部バッグの持ち手部を介して、キャスタで走行させたり、装置全体を持ち上げて搬送することができ、使い勝手がよい。
【００１８】
また、対結合装置は、上下に積み重ねた状態で下段側のバッグの外周面部に取り付けられた第１連結具と、上下に積み重ねた状態で上段側のバッグの外周面部に取り付けられ、該第１連結具と着脱自在に連結される第２連結具と、を含む構成とすることにより、例えば、バックルやホック、面ファスナ等の簡単な連結具構成を利用して対結合装置を具体的に実現できる。
【００１９】
また、上層部バッグの外周面部には、基礎部バッグのキャリーハンドルを該キャリーハンドルの長手方向に貫通させて係合する係合部が設けられた構成とすることにより、連結装置による連結状態をより安定させて保持することができる。
【図面の簡単な説明】
【００２０】
【図１】本考案の第１の実施形態に係る動物搬送用バッグ装置の正面図である。
【図２】図１の動物搬送用バッグ装置の斜視図である。
【図３】図２の動物搬送用バッグ装置の基礎部バッグと上層部バッグを分離した状態の説明図である。
【図４】図１の動物搬送用バッグ装置の側面図である。
【図５】図１の動物搬送用バッグ装置の背面図である。
【図６】図１の動物搬送用バッグ装置のバッグを開いた状態の説明図である。
【図７】図１の動物搬送用バッグ装置の背負い用ベルトを取り付けた状態の作用説明図である。
【図８】連結装置の他の実施形態の説明図である。
【図９】本考案の第２の実施形態に係る動物搬送用バッグ装置の正面図である。
【考案を実施するための形態】
【００２１】
以下、添付図面を参照しつつ本考案の動物搬送用バッグ装置の実施の形態について説明する。本考案の動物搬送用バッグ装置は、例えば、犬、猫等のペットを搬送する際に利用できる動物運搬用キャリーバッグである。図１ないし図６は、本考案に係る動物搬送用バッグ装置の第１の実施形態を示している。図１、図２、図３に示すように、動物搬送用バッグ装置１０は、基礎部バッグ１２と、基礎バッグ１２の上に配置される上層部バッグ１４と、連結装置１６と、を備える。
【００２２】
図１、図２、図３に示すように、基礎部バッグ１２は、内部に動物を収容する収容部２０が形成されたバッグ本体１８を有する第１のバッグである。基礎部バッグ１２は、底部にキャスタ２２を取り付けるとともにバッグ本体１８にキャリーハンドル２４が取り付けられている。本実施形態では、例えば、基礎部バッグ１２は、隅丸の四角筒状又は直方体状に形成されるとともに中空内部に収容部２０を形成するバッグ本体１８を有している。バッグ本体１８は、例えば、底面部１８ａと前側面部１８ｂと天面部１８ｆと後側面部１８ｃとが一体的に形成される。図６にも示すように、バッグ本体１８の左右側面部１８ｄ、１８ｅは、その後端辺部を後側面部１８ｃの左右両端に接続するとともに、その他の３辺部分をそれぞれスライドファスナ２６を介して底面部と前側面部と天面部に対して着脱自在に固定され、バッグ本体の左右側面部分が開閉自在に設けられている。バッグ本体１８の天面部１８ｆには、基礎部バッグ１２を人手で持ち上げ搬送するための持ち手部２８が取り付けられている。基礎部バッグ１２の持ち手部２８は、例えば、可撓性素材で薄くて平たいベルト状に形成されており、非使用時には天面部１８ｆに重ねられ、後述のように上層部バッグを上に載せる際に邪魔にならないようになっている。
【００２３】
図１、図４、図５に示すように、基礎部バッグ１２のバッグ本体１８の底面部１８ａの底部外面には、キャスタ２２が取り付けられている。キャスタ２２は、例えば、底面部１８ａに４つ取り付けられており、それぞれが向きを変更自在に取り付けられている。バッグ本体１８の後部側には、伸縮式のキャリーハンドル２４が取り付けられており、伸長状態で上下方向に長く伸びるとともに、収縮状態ではバッグ本体１８に一体化された格納部内に格納される。キャリーハンドル２４は、例えば公知のキャリーハンドルと同じ構成であり、多重筒状の構造で長手方向に伸縮する２つの柄部２４ａと、柄部２４ａの上端に横架された把持部２４ｂとからなり、ハンドル部２４ｂに設けられたボタン２４ｃを押しながら操作することによって、伸縮操作して、格納部２４ｄ内に格納したり、該格納部２４ｄから展開したりすることができる。
【００２４】
図１、図２、図３に示すように、上層部バッグ１４は、基礎部バッグ１２の上段側に順次積み重ねた状態で配置される第２のバッグである。本実施形態では、１つの上層部バッグ１４が、基礎部バッグ１２の上段側に積み上げて配置される。上層部バッグ１４は、内部に動物を収容する収容部２０が形成されたバッグ本体１８を有する。バッグ本体１８の構成は、基礎部バッグ１２のバッグ本体１８と略同じ構成であり、基礎部バッグ１２とは独立した収容部２０を有する。上層部バッグ１４の天面側に設けられる持ち手部３０は、ある程度硬質の素材で比較的高い強度で設けられている。上層部バッグ１４が基礎部バッグ１２と連結されていない状態では、持ち手部３０を介して、上層部バッグ１４を単独で搬送することができる。一方、後述のように連結装置１６により上層部バッグ１４が基礎部バッグ１２と連結されている状態では、持ち手部３０を把持した状態で基礎部バッグ１２を含む装置１０全体を一体的に移動することができる。上層部バッグ１４のバッグ本体１８の底面部１８ａの底部には、例えば、底鋲３２が取り付けられている。本実施形態では、上層部バッグ１８は、底部の底鋲３２を介して基礎部バッグ１２の天面部１８ｆ上に載置された状態で積み重ねて安定的に配置される。
【００２５】
図５に示すように、上層部バッグ１４の後側面部１８ｃの外面の略中央位置には、帯状部材を該後側面部１８ｃとの間に上下方向に貫通する貫通孔３４ａを形成するように左右両端を該後側面部１８ｃに固定して設けられた通し帯部３４が設けられている。通し帯部３４は、上層部バッグ１４を基礎部バッグ１２の上に積み重ねて配置する際に、該基礎部バッグ１２のキャリーハンドル２４を係合部の貫通孔３４ａに該キャリーハンドルの長手方向に沿って貫通させて係合する係合部となる。このように、通し帯部３４を介して上層部バッグ１４をキャリーハンドル２４に係合させることにより、上層部バッグ１４が基礎部バッグに対して横方向の移動するのをある程度規制でき、連結装置１６と協働して上下のバッグどうしの連結状態を好適に保持できる。なお、上層部バッグ１４は、基礎部バッグ同様に底部にキャスタを取り付けたり、キャリーハンドルを取り付けた構成としてもよい。この際、例えば、基礎部バッグの天面部にキャスタの移動を防止するための受部材等を設けることとしてもよい。
【００２６】
さらに、図３、図５、図７に示すように、基礎部バッグ１２のバッグ本体１８及び上層部バッグ１４のバッグ本体１８それぞれの、後側面部１８ｃや天面部１８ｆには、例えば、必要に応じて肩掛けベルトや背負いベルト３６等を着脱自在に連結するための複数のベルト接続用金具３８が取り付けられている。これにより、必要に応じて、持ち方、運び方を変えながら動物を収容したバッグを便利に搬送することができる。また、基礎部バッグ１２のベルト接続用金具３８と上層部バッグ１４のベルト接続用金具３８とを連結する連結ベルト３９を着脱自在に連結することもできる。なお、図７のように、背負いベルト３６や連結ベルト３９を接続する際には、キャリーハンドル２４を縮長して把持部２４ｂが通し帯部３４内に収容させて邪魔にならないようにしてもよい。
【００２７】
図６に示すように、基礎部バッグ１２、上層部バッグ１４のバッグ本体１８の天面部１８ｆの前部側から前側面部１８ｂの上部側にかけて、前部側開閉蓋部４０が設けられている。例えば、前部側開閉蓋部４０は、内外二重に設けられており、内側開閉蓋部４０ａは、スライドファスナ２６を介してバッグ本体１８に対して開閉自在に設けられているとともに、ネット状の窓部４２が形成されている。外側開閉蓋部４０ｂは、内側開閉蓋部３８ａの窓部４２を閉鎖する大きさで設けられており、面ファスナ４１ａ、４１ｂを介して内側開閉蓋部３８ａの外面側に着脱可能に設けられている。なお、外側開閉蓋部４０ｂは、例えば、開いた状態でロール状に巻いて、天面部１８ｆに一端が設けられた結束ベルト４４を介して開いた状態で保持させることもできる。
【００２８】
バッグ本体１８の前側面部１８ｂには、例えば、ペット用やその他の小物、餌、あるいは飲料を入れたペットボトルや水筒などを収納できるポケット部４６が設けられている。バッグ本体１８の開閉自在な左右側面部１８ｄ、１８ｅには、ネット状の窓部４２が設けられている。左右側面部１８ｄ、１８ｅの内面側には、窓部４２の位置に対応して、該窓部を覆うようなサイズで、透明のプラスチック板等からなる保護部材４８が、スナップボタン等の留め具５０を介して着脱自在に装着できるようになっている。保護部材４８は、窓部４２を内側から覆うことにより、例えば、犬や猫等が爪で窓部４２を引っ掻くのを防いだり、寒い際等の必要に応じて窓部を閉鎖することができる。左右側面部１８ｄ、１８ｅの内面側の窓部４２の下方側には、ポケット部５２が設けられており、取り外した保護部材４８を収納することもできる。なお、基礎部バッグ１２や上層部バッグ１４の形状、構造等は上記したものに限らず任意に構成してもよい。
【００２９】
連結装置１６は、少なくとも上下の各バッグどうしを着脱連結する連結手段である。本実施形態では、連結装置１６は、基礎部バッグ１２と上層部バッグ１４とを着脱可能に連結し、上層部バッグ１４を基礎部バッグ１２に対して上下方向及び前後左右を含む横方向への相対的な離脱を規制して一体的に連結する。図１、図２、図４、図５に示すように、連結装置１６は、例えば、基礎部バッグ１２と上層部バッグ１４どうしの連結時に少なくとも基礎部バッグ１２の天面部１８ｆと、上層部バッグ１８の底面部１８ａとが離脱しないように拘束する個別連結機構５４からなる。個別連結機構５４は、例えば、基礎部バッグ１２と上層部バッグ１４のそれぞれのバッグの周面部どうし、すなわち前側面部１８ｂ、後側面部１８ｃどうしに支持基礎５６を設定して、上下の各バッグどうしの連結を確保する対結合装置５８を含む。
【００３０】
対結合装置５８は、上下に積み重ねた状態で下段側となる基礎部バッグ１２の外周面部（前側面部１８ｂ及び後側面部１８ｃ）に取り付けられた第１連結具６０と、上下に積み重ねた状態で上段側となる上層部バッグ１４の外周面部（前側面部１８ｂ及び後側面部１８ｃ）に取り付けられ、該第１連結具６０と着脱自在に連結される第２連結具６２と、を含む。具体的には、対結合装置５８は、例えば、差し込み式バックル６４を含むワンタッチ式の連結機構を含み、第１連結具６０は、可撓性のベルトの一端を基礎部バッグ１２の前側面側１８ｂ及び後側面部１８ｃの上部側の左右隅部近傍に固定され支持基礎５６として設定され、ベルト他端側には差し込み式バックル６４の差し込み雄部材６４ａが取り付けられている。第２連結具６２は、可撓性のベルトの一端を上層部バッグ１４の前側面部１８ｂ及び後側面部１８ｂの下部側の左右隅部近傍に固定され支持基礎５６として設定され、ベルトの他端側には差し込み式バックル６４の雄部材６４ｂを着脱可能に受ける雌部材７２が取り付けられている。基礎部バッグ１２と上層部バッグ１４の４か所の第１、第２連結具６０、６２の差し込み式バックル６４をワンタッチ状に着脱することにより、基礎部バッグ１２と上層部バッグ１４とを簡単に着脱できる。連結装置１６により上下のバッグ１２、１４どうしを連結した状態では、上下のバッグが一体的となり、上述したように、上層部バッグ１４の持ち手部３０を把持した状態で基礎部バッグ１２及び上層部バッグ１４を含む動物搬送用バッグ装置１０全体を移動可能となっている。
【００３１】
なお、連結装置１６は、上記した形態に限らず任意の連結構造でもよい。例えば、図８、（ａ）〜（ｈ）には、連結装置１６の他の形態のいくつかの例を示している。なお、図８では、１つの連結部分の周囲のみを示している。図８（ａ）の例は、連結装置１６の対連結機構５８は、例えば、スナップボタン６６ａ、６６ｂを含む。第１連結具６０は、ベルトの一端を支持基礎５６として基礎部バッグ１２に固定されており、他端側にスナップボタンの雄部材６６ａが固定されている。第２連結具６２は、ベルト一端を支持基礎５６として上層部バッグ１４に固定されており、他端側にスナップボタンの雌部材６６ｂが固定されている。第１、第２連結具のスナップボタンを介して自在に着脱操作できる。図８（ｂ）の例は、例えば、連結装置１６の対連結機構５８は、ピンバックルを含む。第１連結具６０は、一端を基礎部バッグ１２に固定されたベルトにピン通し用の孔６８ａが穿穴されている。第２連結具６２は、一端を上層部バッグ１４に固定されたベルトの他端側に、第１連結具６０のピンを通すピン状の留め金とフレームを含むバックルが取り付けられている。第１、第２連結具のベルトの孔とバックルとを着脱操作して自在に着脱操作できる。図８（ｃ）の例は、連結装置１６の対連結機構５８は、例えば磁石７０を含む。第１連結具６０は、一端を基礎部バッグ１２に連結されたベルトの他端側に磁石７０が固定されている。第２連結６２は、一端を上層部バッグ１４に連結されたベルトの他端側に該磁石７０に磁力吸着する鉄片（又は他の磁石）７１が固定されている。磁石７０の磁力吸着作用を介して自在に着脱操作できる。図８（ｄ）の例は、連結装置１６の対連結機構５８は、例えば、面ファスナ７２ａ、７２ｂを含む。第１連結具６０は、ベルトの一端を基礎部バッグ１２に固定されており、他端側に面ファスナの雄部材７２ａが固定されている。第２連結具６２は、上層部バッグ１４に面ファスナの雌部材７２ｂが直接固定されている。第１、第２連結具の面ファスナを介して自在に着脱操作できる。図８（ｅ）の例は、連結装置１６の対連結機構５８は、例えば、フック７４を含む。第１連結具６０は、ベルトの一端を基礎部バッグ１２に固定されており、他端側にフック７４が固定されている。第２連結具６２は、上層部バッグ１４に該フック７４を受けるためのフック受部材７３が直接固定されている。第１、第２連結具のフック７４と受部材７３を介して自在に着脱操作できる。図８（ｇ）の例は、連結装置１６の対連結機構５８は、例えば、ナスカン７６を含む。第１連結具６０は、鎖の一端を基礎部バッグ１２に固定されており、他端側にナスカン７６が接続されている。第２連結具６２は、上層部バッグ１４にＤカン等の接続用金具が固定されている。第１、第２連結具のナスカン７６を介して自在に着脱操作できる。図８（ｆ）の例は、例えば、連結装置１６の対連結機構５８は、例えば、ひねり金具７９を含む。第１連結具６０は、固定部を基礎部バッグ１２に固定され、蝶番を介して可動する可動板７８の他端側に縦に細長い長孔７８ａが穿穴されている。第２連結具６２は、上層部バッグ１４に前側面部に垂直な軸回りに回転自在でかつ可動板７８の長孔と略同じ形状のひねり金具７９が取り付けられている。第１、第２連結具は、ひねり金具７９を回転させて介して長孔と一致させた状態で係合、分離でき、ひねり金具７９を長孔７８ａに交差させると連結状態を保持できる。図８（ｈ）の例は、連結装置１６の対連結機構５８は、例えば、互いにスライド移動させて連結、分離する駒部材８０ａ、８０ｂを含む。第１連結具６０は、基礎部バッグ１２の天面部に支持基礎５６を設定して固定された突起を含むスライド凸状駒部材８０ａからなる。第２連結具６２は、上層部バッグ１４に底面部に支持基礎５６を設定して固定され、凸状駒部材８０ａと嵌合する凹状駒部材８０ｂからなる。第１、第２連結具の凸状駒部材及び凹状駒部材をスライド係合させて自在に連結、分離することができる。この際、連結状態で、凸状駒部材及び凹状駒部材の連結状態を保持するロック装置等を設けてもよい。
【００３２】
次に本実施形態にかかる動物搬送用バッグ装置１０の作用について説明する。例えば、２匹のペットを同時に運ぶ際には、図１、図２、図５に示すように、基礎部バッグ１２のキャリーハンドル２４を上層部バッグ１４の通し帯部３４を貫通させながら、基礎部バッグ１２の上に上層部バッグ１４を積み重ねて配置する。連結装置１６の対結合装置５２である第１、第２連結具６０、６２を連結して、それらのバッグどうしを連結して一体化する。基礎部バッグ１２及び上層部バッグ１４の左右側面部を開いて、収容部２０内にそれぞれ動物を入れて該側面部を閉鎖する。連結装置１６によって上下に積み重ねたバッグどうしを一体的に連結することにより、例えば、キャリーハンドル２４又は上層部バッグ１４の持ち手部３０を手で把持しながら、基礎部バッグ１２のキャスタ２２を介して地面を走行させながら搬送したり、又は持ち上げて搬送することができ、簡単に複数の動物を効率よく運搬することができる。また、図５に示すように、背負い用ベルト３６又は肩掛けベルトをベルト接続用金具３８に連結することで、動物搬送用バッグ装置１０を背負って搬送したり、肩に掛けて搬送することができる。一方、例えば、一匹のペットを運ぶ際には、図３に示すように、連結装置１６の結合を分離して、上層部バッグ１４を持ち上げて通し帯部３４からキャリーハンドル２４を抜いて分離し、基礎部バッグ１２単独又は上層部バッグ１４単独で動物を搬送することができる。基礎部バッグ１２を利用する場合には、キャリーハンドル２４を持ってキャスタ２２を介して地面を走行させながら搬送したり、基礎部バッグの持ち手部２８を把持して持ち上げて搬送することができる。また、上層部バッグ１４を利用する場合には、持ち手部３０を介して該バッグ１４単独で搬送することができる。このように、状況に応じて基礎部バッグ１２と上層部バッグ１４を連結装置１６を介して連結して複数の動物を効率よく搬送したり、又は分離して基礎部バッグ１２単独又は上層部バッグ１４単独で個別に動物を搬送したりして使用態様を変更することができ、使い勝手がよく、便利である。
【００３３】
次に図９を参照しつつ本実施形態の動物搬送用バッグ装置の第２の実施形態について説明する。上記した第１実施形態と同一構成、同一部材には、同一符号を付し、その詳細な説明は省略する。本実施形態にかかる動物搬送用バッグ装置１０−２では、図９に示すように、基礎部バッグ１２と、２つの上層部バッグ１４と、連結装置１６と、を備えている。すなわち、本実施形態では、例えば、基礎部バッグ１２の上に一の第１上層部バッグ１４１が積み重ねた状態で配置されるとともに、該上層部バッグ１４１の上にさらに第２上層部バッグ１４２が積み重ねた状態で配置される。そして、基礎部バッグ１２と第１上層部バッグ１４１どうしが連結装置１６で着脱可能に連結されるとともに、第１上層部バッグ１４１と第２上層部バッグ１４２どうしが連結装置１６で着脱可能に連結される。本実施形態では、合計３個のバッグが連結された状態で、複数の動物を同時に搬送することができる。本実施形態でも、状況に応じて基礎部バッグ１２と上層部バッグ１４１、１４２を連結装置１６を介して連結して一体的に連結して搬送可能であり、複数の動物を効率よく搬送したり、又は連結装置１６を介して分離して基礎部バッグ１２単独又は上層部バッグ１４１、１４２で個別に動物を搬送したりして使用態様を変更することができ、使い勝手がよい等の上記実施形態同様の効果を奏する。なお、上層部バッグを３つ以上の複数としてもよい。
【００３４】
以上説明した本考案の動物搬送用バッグ装置は、上記した実施形態のみの構成に限定されるものではなく、実用新案登録請求の範囲に記載した本考案の本質を逸脱しない範囲において、任意の改変を行ってもよい。
【産業上の利用可能性】
【００３５】
本考案の動物搬送用バッグ装置は、例えば、犬、猫等の哺乳類、鳥類、爬虫類その他種々の動物を搬送する際に好適に利用できる。
【符号の説明】
【００３６】
１０    動物搬送用バッグ装置
１２    基礎部バッグ
１４    上層部バッグ
１６    連結装置
１８    バッグ本体
２０    収容部
２２    キャスタ
２４    キャリーハンドル
３０    持ち手部
３４    通し帯部
５４    個別連結機構
５６    支持基礎
５８    対結合装置
６０    第１連結具
６２    第２連結具
【図１】
0003202748.tif 000003
【図２】
0003202748.tif 000004
【図３】
0003202748.tif 000005
【図４】
0003202748.tif 000006
【図５】
0003202748.tif 000007
【図６】
0003202748.tif 000008
【図７】
0003202748.tif 000009
【図８】
0003202748.tif 000010
【図９】
0003202748.tif 000011